(57)【要約】【課題】消費電力量を低減することのできる画像読取装置を提供する。【解決手段】原稿サイズ検出時に、複数のＬＥＤを含むグループＧ１〜Ｇ６のうち、Ｇ３、Ｇ４及びＧ６のみを順次点灯させて、他は消灯したままとする。そして、例えばグループＧ４を点灯させた時点で原稿サイズが検出できれば、グループＧ６は点灯させずに、原稿サイズ検出動作を終了する。これによって、原稿サイズ検出時の消費電力量を低減することができる。【選択図】図７
2010273099.tif 000002
【特許請求の範囲】
【請求項１】
原稿が載置される原稿載置台と、
主走査方向に並べられた複数の光源と、
前記光源を駆動する光源駆動部と、
原稿サイズ検出時に、前記光源を２以上のグループに分けて駆動するように前記光源駆動部を制御し、前記光源を前記グループ毎に異なるタイミングで点灯させ、原稿サイズが検出された時点で前記原稿の点灯を終了する光源制御部と、
前記光源から出射され、前記原稿載置台上の原稿で反射された光を受ける位置に配置された読取素子と、
前記読取素子からの出力信号から、前記原稿の縁の位置を検出することで原稿サイズを検出するサイズ検出部と、
画像読取時に、前記光源を点灯させて前記原稿を照明するように前記光源駆動部を制御する読取制御部と、
を備える画像読取装置。
【請求項２】
前記光源制御部は、原稿サイズ検出時に、一部の前記グループの光源を消灯した状態に維持する
請求項１に記載の画像読取装置。
【請求項３】
前記光源制御部は、原稿サイズ検出時に、２以上の前記グループの光源を点灯可能であり、異なるグループの光源によって、前記原稿載置台上において、互いにサイズが異なる２以上の定型原稿の載置位置をそれぞれ照明する
請求項１又は２に記載の画像読取装置。
【請求項４】
前記光源制御部は、原稿サイズ検出時に、２以上の前記グループの光源を点灯可能であり、前記原稿載置台において、異なるグループの光源によって照明される領域が、前記原稿載置台における定型原稿の縁の位置をまたぐように、前記光源を点灯させる
請求項１〜３のいずれか１項に記載の画像読取装置。
【請求項５】
前記光源制御部は、原稿サイズ検出時に、前記原稿載置台において、前記光源によって照明される領域が、前記原稿載置台における互いにサイズの異なる定型原稿の縁の間に配置されるように、前記原稿を点灯させる
請求項１〜３のいずれか１項に記載の画像読取装置。
【請求項６】
請求項１〜５のいずれか１項に記載の画像読取装置と、
前記画像読取装置が原稿上の画像を読み取ることで得た画像データに基づいて、記録媒体上に画像を形成する画像形成部と、
を備える画像形成装置。
【発明の詳細な説明】
【技術分野】
【０００１】
本発明は、原稿上の画像を読み取る画像読取装置に関する。
【背景技術】
【０００２】
従来、画像読取装置において、原稿のサイズを検出する機構が提案されている。例えば、特許文献１には、主走査方向及び副走査方向に並べられた複数の原稿検出センサが記載されている。
【先行技術文献】
【特許文献】
【０００３】
【特許文献１】特開２００７−２８４１３号公報
【発明の概要】
【発明が解決しようとする課題】
【０００４】
部材の種類数を低減するために、従来のように原稿検出センサを設けるのではなく、例えば、原稿からの画像読取時に照明として用いられる光源を、原稿検出に用いることも考えられる。しかし、近年、照明用の光源として、主走査方向に並べられた複数の光源が設けられることがあり、このような複数の光源を、原稿サイズの検出時に全て点灯させることは、電力を浪費することになる。また、まぶしさのためにユーザに不快感を与える可能性もある。
【０００５】
そこで、本発明は、消費電力量を低減可能な画像読取装置を提供することを目的とする。
【課題を解決するための手段】
【０００６】
第１の画像読取装置は、原稿が載置される原稿載置台と、主走査方向に並べられた複数の光源と、前記光源を駆動する光源駆動部と、原稿サイズ検出時に、前記光源を２以上のグループに分けて駆動するように前記光源駆動部を制御し、前記光源を前記グループ毎に異なるタイミングで点灯させ、原稿サイズが検出された時点で前記原稿の点灯を終了する光源制御部と、前記光源から出射され、前記原稿載置台上の原稿で反射された光を受ける位置に配置された読取素子と、前記読取素子からの出力信号から、前記原稿の縁の位置を検出することで原稿サイズを検出するサイズ検出部と、画像読取時に、前記光源を点灯させて前記原稿を照明するように前記光源駆動部を制御する読取制御部と、を備える。
【０００７】
また、第２の画像読取装置は、第１の画像読取装置であって、前記光源制御部は、原稿サイズ検出時に、一部の前記グループの光源を消灯した状態に維持する。
【０００８】
また、第３の画像読取装置は、第１又は第２の画像読取装置であって、前記光源制御部は、原稿サイズ検出時に、２以上の前記グループの光源を点灯可能であり、異なるグループの光源によって、前記原稿載置台上において、互いにサイズが異なる２以上の定型原稿の載置位置をそれぞれ照明する。
【０００９】
また、第４の画像読取装置は、第１〜第３のいずれかの画像読取装置であって、前記光源制御部は、原稿サイズ検出時に、２以上の前記グループの光源を点灯可能であり、前記原稿載置台において、異なるグループの光源によって照明される領域が、前記原稿載置台における定型原稿の縁の位置をまたぐように、前記光源を点灯させる。
【００１０】
また、第５の画像読取装置は、第１〜第３のいずれかの画像読取装置であって、前記光源制御部は、原稿サイズ検出時に、前記原稿載置台において、前記光源によって照明される領域が、前記原稿載置台における互いにサイズの異なる定型原稿の縁の間に配置されるように、前記原稿を点灯させる。
【００１１】
また、第６の画像形成装置は、第１〜第５のいずれかの発明の画像読取装置と、前記画像読取装置が原稿上の画像を読み取ることで得た画像データに基づいて、記録媒体上に画像を形成する画像形成部と、を備える。
【発明の効果】
【００１２】
第１の画像読取装置においては、全ての光源を点灯させなくても、原稿サイズを検出できる。よって、この画像読取装置は、消費電力量を低減することが可能である。
【図面の簡単な説明】
【００１３】
【図１】第１実施形態の画像読取装置１の斜視図。
【図２】画像読取装置１の内部構成を模式的に示す図面。
【図３】光源部２１ｂの平面図。
【図４】画像読取装置１の要部構成を示すブロック図。
【図５】画像読取装置１における原稿サイズ検出時の動作の流れを示すフローチャート。
【図６】プラテンガラス１１に対する第１キャリッジ２１ａの位置を示す図面。
【図７】原稿サイズ検出時の光源部２１ｂの点灯／消灯の様子を示す図面。
【図８】第２実施形態における原稿サイズ検出時の光源部２１ｂの点灯／消灯の様子を示す図面。
【図９】第３実施形態における原稿サイズ検出時の光源部２１ｂの点灯／消灯の様子を示す図面。
【図１０】第４実施形態における原稿サイズ検出時の光源部２１ｂの点灯／消灯の様子を示す図面。
【図１１】画像読取装置を組み込んだ画像形成装置の概要を示すブロック図。
【発明を実施するための形態】
【００１４】
以下の実施形態は、本発明を限定するものではない。
【００１５】
〔１〕第１実施形態
（1-1）画像読取装置１の概略構成
図１に示すように、画像読取装置１は、筐体１０、プラテンガラス（原稿台の一例）１１、原稿カバー１２を備える。
【００１６】
プラテンガラス１１は筐体１０の上面に設けられる。プラテンガラス１１はガラス等の透明の材料で構成される板状の部材である。
【００１７】
原稿カバー１２は、筐体１０の上面の縁の１つに、ヒンジを介して固定されている。原稿カバー１２は、ヒンジを介して回転することで、プラテンガラス１１に対して開閉する。
【００１８】
図２に示すように筐体１０内には、読取部２が設けられている。読取部２は、照明ユニット２１、光学ユニット２２、レンズ２３、読取素子２４を有する。
【００１９】
照明ユニット２１は、第１キャリッジ２１ａ、光源部２１ｂ、ミラー等を備える。第１キャリッジ２１ａは、副走査方向に移動可能に設けられる。光源部２１ｂは第１キャリッジ２１ａ内に設けられる。
【００２０】
図３に示すように、光源部２１ｂは、基材２７と、ＬＥＤ２８とを備える。
【００２１】
基材２７は、主走査方向に延びる板状の部材である。基材２７の主走査方向における長さは、画像読取装置１が読み取ることのできる原稿の最大サイズの主走査方向における幅よりも長い。例えば、本実施形態であれば、原稿の最大サイズはＡ３であり、図７に示すように、主走査方向における原稿の最大幅は、Ａ３の短手方向の幅（Ａ４の長手方向の幅）である。よって、基材２７の主走査方向の長さは、Ａ４の長手方向の幅（２９７ｍｍ）よりも少し長く、例えば、３５０ｍｍ程度に設定される。
【００２２】
また、基材２７の短手方向の幅は、特に限定されないが、例えば１５ｍｍ程度に設定される。
【００２３】
基材２７は、その長手方向の両端付近に取付孔２８を有しており、この取付孔２８を介して、ビスにより基板に固定される。ビス及び基板のいずれについても図示を省略する。
【００２４】
ＬＥＤ２８は、光源の一例であり、１ｍｍ×２ｍｍ程度の矩形状である。光源部２１ｂにおいては、基材２７上に、複数のＬＥＤ２８が、主走査方向に並べられている。後述するように、ＬＥＤ２８は、ｎ個（ｎは２以上の自然数）のグループＧ１〜Ｇｎに分けられており、グループ毎に点灯及び消灯される。
【００２５】
図２に示すように、光学ユニット２２は、第２キャリッジ２２ａ、及び第２キャリッジ２２ａ内に設けられたミラーを有する。キャリッジ２２ａも、副走査方向に移動可能に設けられる。
【００２６】
レンズ２３は、光学ユニット２２から読取素子２４に至る光路上に配置される。
【００２７】
読取素子２４は、光を電気信号に変換する。読取素子２４としては、ＣＣＤ、ＣＭＯＳ等の公知の素子が好適に用いられる。
【００２８】
図４に示すように、読取部２は、上述した構成の他に、光源駆動部２１０、キャリッジ移動部２１１を備える。
【００２９】
光源駆動部２１０は、照明ユニット２１のＬＥＤ２８を点灯する。図３に示すように、光源駆動部２１０は、ＬＥＤ２８を、グループＧ１、Ｇ２、・・・Ｇｎ毎に駆動できる。ｎは検出されるべき原稿サイズの種類に応じて、変更される。本実施形態では、ｎ＝６であり、グループＧ１〜Ｇ６には、それぞれ複数のＬＥＤ２８が含まれる。
【００３０】
キャリッジ移動部２１１は、第１キャリッジ２１ａ及び第２キャリッジ２２ａを、副走査方向へ移動させる。具体的には、キャリッジ移動部２１１は、モータ及びギア等の部材を備え、副走査方向に延びる図示しないレールに沿って、キャリッジ２１ａ及び２２ａを移動させる。
【００３１】
図４に示すように、画像読取装置１は、上述した構成に加えて、画像処理部４２、開閉センサ４３、制御装置５０を備える。
【００３２】
画像処理部４２は、Ａ／Ｄ変換器、シェーディング補正回路等を備える。
【００３３】
開閉センサ４３は、筐体１０の上面から突出するボタン４３１（図１）に接続され、このボタン４３１の下方向への移動量が第１所定値を超えると、原稿カバー１２が閉じ始めたことを示す信号を制御装置５０に出力する。
【００３４】
原稿センサ４４は、光源と受光部とを有する光センサユニットである。原稿センサ４４は、プラテンガラス１１の下、つまり筐体１０内で、副走査方向の原稿サイズを検出できる位置に配置される。
【００３５】
図７に示すように、プラテンガラス１１の副走査方向における外側には、原稿指示板３０が設置されている。原稿指示板３０は、原稿の載置位置を示す目盛が付いた板部材である。原稿指示板３０の目盛に従うと、原稿は、原稿の角の１つが、プラテンガラス１１の図７における左上角に合うように載置される。プラテンガラス１１の左上角を、「原点」と称し、符合“１１ａ”を付す
本実施形態では、Ａ６、Ａ５、及びＡ４サイズの原稿は、長手方向の辺が主走査方向に沿うように配置され、Ａ３サイズの原稿は、短手方向の辺が主走査方向に沿うように配置される。つまり、Ａ３及びＡ４サイズの原稿は、主走査方向の長さが同一である。
【００３６】
そこで、原稿センサ４４は、図７に示すように、ユーザから見て、プラテンガラス１１上のＡ４サイズの原稿の右端とＡ３サイズの原稿右端との間に配置される。
【００３７】
制御装置５０は、サイズ検出実行部５１及び読取制御部５５を備える。制御装置５０は、ＣＰＵ（Central Processing Unit）、並びに、ＲＯＭ（Read Only Memory）、及びＲＡＭ（Random Access Memory）、及びその他のメモリを備える。制御装置５０の機能は、ＣＰＵが、ＲＯＭ等に格納されたプログラムを読み出して実行することで、実現される。
【００３８】
サイズ検出実行部５１は、キャリッジ制御部５２、光源制御部５３、サイズ検出部５４を備える。
【００３９】
（1-2）原稿サイズ検出時の動作
待機中は、図６に示すように、第１キャリッジ２１ａは、待機位置Ｐ１に位置する。
【００４０】
図５に示すように、開閉センサ４３から、原稿カバー１２が閉じ始めたことを示す信号を受けると（ステップＳ５１でＹｅｓ）、キャリッジ制御部５２の制御の下、キャリッジ移動部２１１が、第１キャリッジ２１ａを、副走査方向に移動させる。その結果、第１キャリッジ２１ａは、サイズ検出位置Ｐ２（図６）に配置される（ステップＳ５２）。このとき、第２キャリッジ２２ａは、キャリッジ制御部５２の制御の下、キャリッジ移動部２１１によって、サイズ検出位置Ｐ２に存在する第１キャリッジ２１ａからの光（原稿Ｄからの反射光）を、第２キャリッジ２２ａ中のミラーがレンズ２３へ導くことができる位置に配置される。
【００４１】
光源制御部５３は、ＬＥＤ２８のグループＧ１〜Ｇ６のうち、グループＧ３、Ｇ４及びＧ６を、それぞれ第１群Ｆ１、第２群Ｆ２及び第３群Ｆ３として、その点灯を制御する。
【００４２】
図７に示すように、プラテンガラス１１の下方において、グループＧ３（第１群Ｆ１）は、主走査方向におけるＡ６サイズの原稿の縁をまたぐように、グループＧ４（第２群Ｆ２）はＡ５サイズの原稿の縁をまたぐように、グループＧ６（第３群Ｆ３）はＡ４サイズの原稿の縁をまたぐように位置する。
【００４３】
図５に示すように、光源制御部５３の制御の下、光源駆動部２１０は、まず、最も原点１１ａ側に配置された第１群Ｆ１のＬＥＤ２８を点灯させる（ステップＳ５３→Ｓ５４）。
【００４４】
サイズ検出部５４は、この状態において読取素子２４が読み取った画像データを解析する（ステップＳ５５）。そして、サイズ検出部５４は、画像データから、第１群Ｆ１により照明された位置に原稿の縁が存在すると判断すると（ステップＳ５６でＹｅｓ）、表１に示すように、原稿サイズをＡ６と判定する（ステップＳ５７）。第１群Ｆ１以外のＬＥＤ２８は点灯されずに、サイズ検出動作は終了となる。
【００４５】
一方、第１群Ｆ１の点灯で原稿が検知されなければ（ステップＳ５６でＮｏ）、光源制御部５３は、第１群Ｆ１の次に原点１１ａに近い第２群Ｆ２のＬＥＤ２８を点灯し、第１群Ｆ１のＬＥＤ２８を消灯する（ステップＳ５８でＹｅｓ→Ｓ５９→Ｓ５４）。サイズ検出部５４は、第１群Ｆ１点灯時と同様に、原稿のサイズ検出を試みる（ステップＳ５５）。第２群Ｆ２により照明された位置に原稿の縁が存在すれば（ステップＳ５６でＹｅｓ）、サイズ検出部５４は、表１に示すように、原稿サイズをＡ５と判定する（ステップＳ５７）。
【００４６】
第２群Ｆ２の点灯でも原稿の縁が検知されなければ（ステップＳ５６でＮｏ）、光源制御部５３は、第２群Ｆ２の次に原点１１ａに近い第３群Ｆ３のＬＥＤ２８を点灯し、第２群Ｆ２のＬＥＤ２８を消灯する（ステップＳ５８でＹｅｓ→Ｓ５９→Ｓ５４）。サイズ検出部５４は、第１群Ｆ１点灯時と同様に、原稿のサイズ検出を試みる（ステップＳ５５）。第３群Ｆ３により照明された位置に原稿の縁が存在し（ステップＳ５６でＹｅｓ）、原稿センサ４４の検出結果が原稿なしであれば、サイズ検出部５４は、原稿サイズをＡ４と判定し、原稿センサ４４の検出結果が原稿ありであれば、原稿サイズをＡ３と判定する（ステップＳ５７、表１）。
【００４７】
第３群Ｆ３まで点灯しても原稿が検出されなかった場合、つまり第１群Ｆ１〜第３群Ｆ３のいずれを点灯させた場合も、後述するように画像データが黒であれば、サイズはＡ６未満と判定される（表１）。
【００４８】
より詳細には、以下の通りである。プラテンガラス１１上に原稿Ｄが載っているときに、ＬＥＤ２８が点灯すると、光源部２１ｂからの光のうち、原稿Ｄで反射された光は、さらに照明ユニット２１のミラー及び光学ユニット２２のミラーで反射され、レンズ２３へと導かれる。読取素子２４は、レンズ２３を通った光を検出して、画像処理部４２へ電気信号を出力する。この電気信号が画像処理部４２で処理されることで得られた画像データは、制御装置５０へ出力される。原稿Ｄで反射されなかった光、つまり原稿Ｄが存在しない位置に配置されたＬＥＤ２８からの光は、読取素子２４では検出されない。その結果、原稿外の領域は、画像データ上は黒い領域となる。
【００４９】
画像データとサイズ検出の結果の対応関係は、表１の通りである。
【００５０】
【表１】
2010273099.tif 000003
【００５１】
表１中、「Ｇ３」，「Ｇ４」及び「Ｇ６」は、プラテンガラス１１上においてそれぞれのグループＧ３、Ｇ４、及びＧ６により照明される領域の画像データに該当する。
【００５２】
サイズ検出部５４は、光量（すなわち画像の明るさ）が所定値以上であるときに、その画素の画像データを「白」（つまり、原稿の存在する領域）と認識し、光量が所定値未満であるときに「黒」（つまり、原稿の存在しない領域）と認識するようになっていてもよい。また、サイズ検出部５４は、画素間での信号の大きさの差が或る値以上であるときに、より明るい方のデータを「白」、暗い方のデータを「黒」と認識するようになっていてもよい。
【００５３】
原点１１ａ側から主走査に向かって、画像データが「白」から「黒」に変わった箇所が、原稿の縁と認識される。そして、この縁の位置から、原稿サイズが判定される。
【００５４】
以上に述べたように、画像読取装置１は、光源部２１ｂの一部のＬＥＤ２８を点灯してサイズ判定を行い、サイズ判定が完了すれば、その時点でサイズ検出を終了するので、全てのＬＥＤ２８を点灯させずにサイズ検出を行うことができる。よって、消費電力が低減される。また、まぶしさを低減することもできる。
【００５５】
（1-3）画像読取時の動作
プラテンガラス１１上の原稿Ｄの画像を読み取るとき、画像読取装置１は、以下のように動作する。
【００５６】
読取制御部５５の制御の下、キャリッジ移動部２１１は、原稿Ｄの全面を照明するように、照明ユニット２１及び光学ユニット２２を副走査方向へ移動させる。このとき、読取制御部５５は、副走査方向における照明ユニット２１及び光学ユニット２２の移動範囲を、上述のサイズ検出部５４により検出された原稿サイズに基づいて調整する。すなわち、原稿サイズがＡ５であれば、図７におけるＡ５サイズの原稿の左端から右端までを照明するように、照明ユニット２１及び光学ユニット２２が移動される。Ａ５サイズの原稿の右端よりも右側は照明される必要がないので、照明ユニット２１は、待機位置Ｐ１からＡ５サイズの原稿の右端まで移動されると、待機位置Ｐ１へ戻される。
【００５７】
また、画像読取時に点灯されるＬＥＤ２８の範囲も、読取制御部５５により、サイズ検出部５４により検出された原稿サイズに基づいて調整されてもよい。この場合、原稿サイズがＡ５であれば、グループＧ１〜Ｇ４のＬＥＤ２８が点灯され、グループＧ５及びＧ６のＬＥＤ２８は消灯される。
【００５８】
〔２〕第２実施形態
以下に述べるように、ＬＥＤ２８のグループ数は第１実施形態の“６”に限定されるものではなく、適宜変更可能である。
【００５９】
第２実施形態の画像読取装置は、以下で言及する構成以外は、第１実施形態の画像読取装置１と同様の構成である。よって、既に説明した部材等については、同一の符号を付して、その説明を省略することがある。
【００６０】
図８に示すように、光源駆動部２１０は、ＬＥＤ２８を１６個のグループに分けて駆動できるようになっている。つまり、本実施形態では、ｎ＝１６である。各グループＧ１〜Ｇ１６に含まれるＬＥＤ２８の数は同数である。
【００６１】
図８に示すように、プラテンガラス１１上において、グループＧ８、Ｇ１１、及びＧ１６により照明される領域は、Ａ６、Ａ５，Ａ４（Ａ３）サイズの原稿の主走査方向における縁をまたぐように位置する。
【００６２】
本実施形態では、原稿サイズ検出時（ステップＳ５３）には、グループＧ８、Ｇ１１、及びＧ１６のＬＥＤ２８が点灯され、他のＬＥＤ２８は消灯される。つまり、グループＧ８が第１群Ｆ１、グループＧ１１が第２群Ｆ２、グループＧ１６が第３群Ｆ３に相当する。
【００６３】
なお、画像読取時には、光源駆動部２１０は、読取制御部５５の制御に応じて、全てのグループＧ１〜Ｇ１６のＬＥＤ２８を点灯してもよいし、原稿全体を照明できる程度に、検出された原稿サイズによって点灯するグループを変えてもよい。
【００６４】
〔３〕第３実施形態
第３実施形態の画像読取装置は、以下で言及する構成以外は、第１実施形態の画像読取装置１と同様の構成である。よって、既に説明した部材等については、同一の符号を付して、その説明を省略することがある。
【００６５】
光源駆動部２１０は、第１及び第２実施形態のように、ＬＥＤ２８を等分割して駆動する構成には限定されない。例えば、図９に示すように、グループＧ１〜Ｇｎのそれぞれに含まれるＬＥＤ２８の数は、互いに異なっていてもよい。つまり、グループＧ１〜Ｇｎの主走査方向における長さは、互いに異なっていてもよい。
【００６６】
本実施形態では、ｎ＝６であり、Ａ６サイズの原稿の縁をまたぐ領域を照明するＬＥＤ２８がグループＧ２、光源部２１ｂのプラテンガラス１１の原点１１ａ側の端部から、グループＧ２より手前（図９の上側）の領域を照明するＬＥＤ２８がグループＧ１、Ａ５サイズの原稿の縁をまたぐ領域を照明するＬＥＤ２８がグループＧ４、グループＧ２とＧ４との間のＬＥＤ２８がグループＧ３、Ａ４（Ａ３）サイズの原稿の縁をまたぐ領域を照明するＬＥＤ２８がグループＧ６、グループＧ４とＧ６との間のＬＥＤ２８がグループＧ５に割り当てられる。
【００６７】
本実施形態では、グループＧ２、Ｇ４及びＧ６が、それぞれ第１群Ｆ１、第２群Ｆ２及び第３群Ｆ３に相当する。
【００６８】
〔４〕第４実施形態
第４実施形態の画像読取装置は、光源制御部５３の構成が異なる以外は、第２実施形態の画像読取装置１と同様の構成である。よって、既に説明した部材等については、同一の符号を付して、その説明を省略することがある。
【００６９】
第１〜第３実施形態では、プラテンガラス１１上で、原稿サイズ検出時に照明される領域は、プラテンガラス１１上で定型原稿の縁をまたぐように位置するが、本発明はこれに限定されない。
【００７０】
例えば、原稿サイズ検出時に、プラテンガラス１１上における異なるサイズの定型原稿の縁同士の間の領域が照明されれば、たとえ原稿の縁をまたぐ領域が照明されなくても、原稿サイズの検出は可能である。
【００７１】
本実施形態では、図１０に示すように、光源駆動部２１０は第２実施形態と同様にＬＥＤ２８を１６個のグループに等分割して駆動できる。
【００７２】
プラテンガラス１１上において、グループＧ５、Ｇ１０、Ｇ１４のＬＥＤ２８によって点灯される領域は、それぞれ、主走査方向において、Ａ６サイズの原稿の縁よりも原点１１ａ側、Ａ６サイズの原稿の縁とＡ５サイズの原稿の縁との間、Ａ５サイズの原稿の縁とＡ４（Ａ３）サイズの原稿の縁に位置する。
【００７３】
本実施形態では、グループＧ５、Ｇ１０及びＧ１４が、それぞれ第１群Ｆ１、第２群Ｆ２及び第３群Ｆ３に相当する。
【００７４】
本実施形態において、画像データとサイズ検出部５４の判定結果との関係は、表２の通りとなる
【００７５】
【表２】
2010273099.tif 000004
【００７６】
つまり、本実施形態では、光源制御部５３は、少なくとも２つの群のＬＥＤ２８を点灯させることで、原稿の縁を検出する。そして、上述したように、原点１１ａ側から主走査に向かって、画像データが「白」から「黒」に変わった箇所が、原稿の縁と認識され、縁の位置から原稿サイズが判定される。そして、原稿の縁が認識された時点で、ＬＥＤ２８の点灯は終了される。
【００７７】
また、本実施形態では、第１群Ｆ１〜第３群Ｆ３の３つの群のいずれを点灯させたときにも画像データが「白」であれば、サイズ検出部５４は、原稿の縁がＡ４（Ａ３）サイズの原稿の縁と同位置にあるものと判定する。
【００７８】
〔５〕その他の実施形態
（5-1）以上に述べた各実施形態において、光源制御部５３は、一旦点灯したＬＥＤ２８を、原稿サイズ検出動作の間、点灯したままで維持するようになっていてもよい。つまり、図５のステップＳ５４において、「他を消灯」の処理は行われなくてもよい。
【００７９】
（5-2）以上に述べた各実施形態では、点灯されるＬＥＤ２８は第１〜第３群の３つのグループなので、ステップＳ５８において、ｋが“３”に達したかどうかでその後の処理が変わる。しかし、点灯されるグループ数は“３”以外であってもよい。つまり、この判断基準の数値は、“３”以外の数値であってもよく、点灯されるグループの最大数に合わせて、適宜設定される。
【００８０】
例えば、第１実施形態（図７）のように、光源駆動部２１０が、ＬＥＤ２８を６つのグループに等分割して駆動する場合に、光源制御部５３は、サイズ検出時に、全てのグループＧ１〜Ｇ６を点灯可能となっていてもよい。つまり、グループＧ１〜Ｇ６は、それぞれ第１群Ｆ１〜第６群Ｆ６に相当し、ステップＳ５８の判断は「ｋ＜６？」となる。
【００８１】
例えば、原稿サイズがＡ５であれば、グループＧ１〜Ｇ４が順に点灯されて、サイズ検出が行われ、グループＧ５は点灯されずにサイズ検出動作は終了となる。
【００８２】
（5-3）第１〜第４実施形態における、光源制御部５３の制御は、光源駆動部２１０に、原稿サイズ検出時、プラテンガラス１１上において、互いにサイズが異なる２以上の定型原稿の載置位置をそれぞれ照明させる制御の一例に過ぎず、点灯されるＬＥＤ２８の位置は、第１〜第４実施形態に限定されるものではない。
【００８３】
光源制御部５３がこのように動作することで、異なる大きさの原稿のサイズを迅速に判定することができる。
【００８４】
例えば、原稿サイズ検出時には、定型原稿の縁から、その定型原稿の内側の所定位置までの領域が照明されてもよい。図９を参照して説明すると、図９のグループＧ２（第１群Ｆ１）が、グループＧ２の下端がＡ５サイズの原稿の主走査方向の縁（点線）に位置するように、上方向にずれて配置されていればよい。図９のグループＧ４（第２群Ｆ２）及びＧ６（第３群Ｆ３）も同様に、各グループの下端がそれぞれＡ５及びＡ４の縁に位置するように配置されていればよい。
【００８５】
（5-5）サイズ検出部５４によるサイズ検出結果は、図示しないＨＤＤ（Hard Disk Drive）等の記憶装置に記憶されるようになっていてもよい。そして、光源制御部５３が、過去のサイズ検出結果に基づいて、最も頻繁に検出された原稿サイズに相当する群のＬＥＤ２８を優先的に点灯させるようになっていてもよい。
【００８６】
例えば、図７に示す例において、過去に、Ａ５サイズの検出回数が最も多く、次いでＡ４（又はＡ３）サイズの検出回数が多く、Ａ６サイズの検出回数が最も少ない場合には、光源制御部５３は、第２群Ｆ２のＬＥＤ２８を最初に点灯させ、次いで第３群Ｆ３のＬＥＤ２８を、最後に第１群Ｆ１のＬＥＤ２８を点灯させればよい。
【００８７】
（5-6）異なる実施形態として述べた構成を適宜組み合わせて得られる構成も、本発明の実施形態に含まれる。
【００８８】
（5-8）各グループ（群）に含まれるＬＥＤ２８の数は、複数に限らず、１以上の範囲で適宜設定される。つまり、ＬＥＤ２８が原点１１ａ側から１つずつ点灯するようになっていてもよい。
【００８９】
（5-9）以上に述べた各実施形態の画像読取装置は、画像データを得るスキャナだけでなく、複写機、複合機、ファクシミリ装置等の装置に組み込まれてもよい。
【００９０】
すなわち、画像読取装置１は画像形成装置１００（図１１）に組み込まれてもよい。画像形成装置１００は、読取部２によって得られた画像データに基づいて、記録媒体（例えば用紙）上に画像を形成する画像形成部１０１を備える。画像形成部１０１としては、電子写真方式又はインクジェット方式等の機構を採用することができる。
【産業上の利用可能性】
【００９１】
本発明は、スキャナ、複写機、複合機、ファクシミリ装置等に利用可能である。
【符号の説明】
【００９２】
１    画像読取装置
２    読取部
１１  プラテンガラス（原稿載置台の一例）
２１０  光源駆動部
２４  読取素子
２８  ＬＥＤ（光源の一例）
４４  原稿センサ
５２  キャリッジ制御部
５３  光源制御部
５４  サイズ検出部
５５  読取制御部
１００  画像形成装置
１０１  画像形成部
【図１】
2010273099.tif 000005
【図２】
2010273099.tif 000006
【図３】
2010273099.tif 000007
【図４】
2010273099.tif 000008
【図５】
2010273099.tif 000009
【図６】
2010273099.tif 000010
【図７】
2010273099.tif 000011
【図８】
2010273099.tif 000012
【図９】
2010273099.tif 000013
【図１０】
2010273099.tif 000014
【図１１】
2010273099.tif 000015